(57)【要約】【課題】多重現像一括転写法を用いた場合にも、高画質なカラー画像を出力すること。【解決手段】前色のトナー像を現像した後に、全面帯電を行い、しかる後に次色のトナー像を形成する領域に選択的に露光を行う際、前色のトナー像に隣接して露光を行う領域では、隣接する前色のトナー像の内部領域に対し、次色の潜像形成のための露光エネルギーよりも小さいエネルギーで露光（微小露光）を行い、前色のトナー像の内部方向に作用するクーロンカＦ’を形成し、前色のトナー像が次色の露光領域に飛散することを抑制する。【選択図】図３
2005257845.tif 000002
【特許請求の範囲】
【請求項１】
静電潜像を保持する感光体と、
この感光体を帯電する帯電手段と、
画像変調された光ビームによる露光を行うことにより前記感光体上に静電潜像を形成する潜像形成手段と、
現像剤を前記静電潜像に供給して前記感光体上にトナー像を形成する現像手段と、
前記トナー像を像担持体上に転写する転写手段とを有し、
前記感光体上に複数色のトナー像を現像した後に、前記像担持体上に一括転写する電子写真装置であって、
２色目および２色目以降の像形成において、前色のトナー像を前記感光体に形成後、前記帯電手段により全面帯電を行い、しかる後に前記潜像形成手段により次色のトナー像を形成する領域に選択的に露光を行う際、次色のトナー像を形成する領域の隣接領域であって前記感光体上に既に形成されている前色までのトナー像の内部領域に対し、次色の潜像形成のための露光エネルギーよりも小さいエネルギーで露光（以下、微小露光）を行うことを特徴とする電子写真装置。
【請求項２】
前記潜像形成手段により、前記感光体上に既に形成されている前色までのトナー像の内部領域に対し微小露光を行った際に形成される静電潜像は、次色のトナー像形成に寄与しない電位であることを特徴とする請求項１に記載の電子写真装置。
【請求項３】
前記微小露光は、前記潜像形成手段によるパルス発光であることを特徴とする請求項１および２に記載の電子写真装置。
【請求項４】
前記パルス発光の発光時間（パルス幅）は、前記現像手段の印加電圧に応じて可変されることを特徴とする請求項３に記載の電子写真装置。
【請求項５】
前記パルス発光の発光時間（パルス幅）は、前記帯電手段によって前記感光体に形成される帯電電位に応じて可変されることを特徴とする請求項３に記載の電子写真装置。
【請求項６】
前記微小露光は、一画素内で複数回のパルス発光により行うことを特徴とする請求項１および２に記載の電子写真装置。
【請求項７】
前記パルス発光の発光時間（パルス幅）は、前記現像手段の印加電圧に応じて可変されることを特徴とする請求項６に記載の電子写真装置。
【請求項８】
前記パルス発光の発光時間（パルス幅）は、前記帯電手段によって前記感光体に形成される帯電電位に応じて可変されることを特徴とする請求項６に記載の電子写真装置。
【請求項９】
前記微小露光の一画素内での発光回数は、前記現像手段の印加電圧に応じて可変されることを特徴とする請求項６に記載の電子写真装置。
【請求項１０】
前記微小露光の一画素内での発光回数は、前記帯電手段によって前記感光体に形成される帯電電位に応じて可変されることを特徴とする請求項６に記載の電子写真装置。
【発明の詳細な説明】
【技術分野】
【０００１】
本発明は、電子写真装置に係り、特に高画質画像を高速にプリントするための技術に関するものである。
【背景技術】
【０００２】
近年、カラープリンタ技術の進展に伴い、高画質なカラー画像を高速に出力することが強く求められている。それに対して、インクジェット技術や昇華型プリンタ技術は高画質なカラー画像が得られるが、プリント速度が遅いという問題がある。
【０００３】
一方、電子写真技術はインクジェット方式や昇華型に比べて高速プリントが可能である反面、必ずしも充分な画質のプリントができなかった。
【０００４】
電子写真技術を用いたカラー画像形成方法において、高速プリントを実現するひとつの手法として、タンデム方式が知られている。これは、感光体、帯電器、露光器、現像器などから構成される画像形成ユニットを、イエロー、マゼンタ、シアン、ブラックの各色に対して用意し、これら４つのユニットを並列に設置して、各色の現像が完了する毎に、順次、像担持体（用紙等）上に転写する方法である。
【０００５】
この場合、高速プリントが可能であるが、各色の位置合わせ精度を確保するのが難しく、高画質なカラー画像を得ることが困難であった。
【０００６】
これに対して、１個の感光体の周囲に４つの画像形成ユニットを配置し、感光体上に各色トナーを現像した後に、一括して像担持体上に転写する方法（以下、多重現像一括転写法と呼ぶ）が知られている。
【０００７】
この方法では、感光体が一回転する間に４色のカラー画像を形成できるため、タンデム方式と同様の高速プリントが実現できる。また、各色の位置合わせ制度を確保することも可能であり、高画質化も同時に達成し得るものである。
【０００８】
しかしながら、従来の乾式電子写真技術においては、上記の多重現像一括転写法を用い、感光体上に複数色現像する場合、現像トナー像が飛散し、画質が低下してしまうという本質的な問題があった。
【０００９】
これは、前色トナー像の現像終了後、次色のトナー画像形成を行うプロセスにおいて、前色トナー像が飛び散ってしまう現象であり、その原因は以下のように考えられる。
【００１０】
前色トナー像の現像後、感光体面を全面帯電し、次色の画像形成領域に選択露光したとき、露光領域と非露光領域との境界には大きな電位差を生じ、横方向（感光体の周面上の非露光領域から露光領域方向）に大きな電界が形成される。このとき、非露光領域のうち、露光領域に近接した領域に前色トナーが存在すると、この前色トナーは露光領域に向かって横方向の大きなクーロン力を受け、飛び散ってしまうのである。
【００１１】
この改善策として、前職トナー像に隣接して次色トナー像を形成するための像露光をする際、（特許文献１）に示すように、前色トナー像との境界部分に非画像領域を設けて像露光する方法がある。
【特許文献１】特許第２０００９９８号公報
【発明の開示】
【発明が解決しようとする課題】
【００１２】
ところが、上記の方法では、前色トナー像と次色トナー像との境界部に非画像領域を設けるため、２色が隣接する部分に隙間が開いてしまい、画質を低下させるという問題があった。
【００１３】
本発明は、上述の如き従来の課題を解決するためになされたもので、その目的は、多重現像一括転写法を用いた場合にも、高画質なカラー画像を高速で出力することができる電子写真装置を提供することである。
【課題を解決するための手段】
【００１４】
上記課題を達成するために、請求項１の発明の特徴は、静電潜像を保持する感光体と、この感光体を帯電する帯電手段と、画像変調された光ビームによる露光を行うことにより感光体上に静電潜像を形成する潜像形成手段と、現像剤を静電潜像に供給して感光体上にトナー像を形成する現像手段と、前記トナー像を像担体上に転写する転写手段とを有し、前記感光体上に複数色のトナーを現像した後に、前記像担体上に一括転写する電子写真装置であって、２色目および２色目以降の像形成において、前色のトナー像を前記感光体に形成後、前記帯電手段により全面帯電を行い、しかる後に前記潜像形成手段により次色のトナー像を形成する領域に選択的に露光を行う際、次色のトナー像を形成する領域の隣接領域であって前記感光体上に既に形成されている前色までのトナー像の内部領域に対し、次色の潜像形成のための露光エネルギーよりも小さいエネルギーで露光（以下、微小露光）を行うことにある。
【００１５】
請求項２の発明の特徴は、請求項１に記載の電子写真装置において、前記潜像形成手段により、前記感光体上に既に形成されている前色までのトナー像の内部領域に対し微小露光を行った際に形成される静電潜像は、次色のトナー像形成に寄与しない電位であることにある。
【００１６】
請求項３の発明の特徴は、請求項１および２に記載の電子写真装置において、前記微小露光は、前記潜像形成手段によるパルス発光であることにある。
【００１７】
請求項４の発明の特徴は、請求項３に記載の電子写真装置において、前記パルス発光の発光時間（パルス幅）は、前記現像手段の印加電圧に応じて可変されることにある。
【００１８】
請求項５の発明の特徴は、請求項３に記載の電子写真装置において、前記パルス発光の発光時間（パルス幅）は、前記帯電手段によって前記感光体に形成される帯電電位に応じて可変されることにある。
【００１９】
請求項６の発明の特徴は、請求項１および２に記載の電子写真装置において、前記微小露光は、一画素内で複数回のパルス発光により行うことにある。
【００２０】
請求項７の発明の特徴は、請求項６に記載の電子写真装置において、前記パルス発光の発光時間（パルス幅）は、前記現像手段の印加電圧に応じて可変されることにある。
【００２１】
請求項８の発明の特徴は、請求項６に記載の電子写真装置において、前記パルス発光の発光時間（パルス幅）は、前記帯電手段によって前記感光体に形成される帯電電位に応じて可変されることにある。
【００２２】
請求項９の発明の特徴は、請求項６に記載の電子写真装置において、前記微小露光の一画素内での発光回数は、前記現像手段の印加電圧に応じて可変されることにある。
【００２３】
請求項１０の発明の特徴は、請求項６に記載の電子写真装置において、前記微小露光の一画素内での発光回数は、前記帯電手段によって前記感光体に形成される帯電電位に応じて可変されることにある。
【発明の効果】
【００２４】
本発明の電子写真装置によれば、前色のトナー像を現像した後に、全面帯電を行い、しかる後に次色のトナー像を形成する領域に選択的に露光を行う際、前色のトナー像に隣接して露光を行う領域では、隣接する前色のトナー像の内部領域に対し微小露光を行い、前色のトナー像の内部方向に作用するクーロンカを形成し、前色のトナー像が次色の露光領域に飛散することを抑制するので、多重現像一括転写法を用いた場合にも、高画質なカラー画像を高速で出力することができる。
【００２５】
また、本発明の電子写真装置によれば、感光体上に既に形成されている前色までのトナー像の内部領域に対して微小露光を行った際に形成される静電潜像は、次色のトナー像形成に寄与しない電位に制御し、前色のトナー像の上に次色のトナーが付着しないようにするため、多重現像一括転写法を用いた場合にも、高画質なカラー画像を高速で出力することができる。
【００２６】
また、本発明の電子写真装置によれば、微小露光をパルス発光とすることで、露光器の出力を次色の潜像形成領域と微小露光領域とで切り換える必要がないので、露光器の光源の駆動制御かつ回路を簡素化し、前色のトナー像が次色の露光領域に飛散することを抑制する。
【００２７】
また、本発明の電子写真装置によれば、微小露光のパルス発光時間（パルス幅）を現像手段の印加電圧に応じて可変させることで、前色のトナー像の内部方向に作用するクーロンカの形成を最適化することができ、前色のトナー像が次色の露光領域に飛散することをより効果的に抑制する。
【００２８】
また、本発明の電子写真装置によれば、微小露光のパルス発光時間（パルス幅）を帯電手段によって感光体に形成される帯電電位に応じて可変させることで、前色のトナー像の内部方向に作用するクーロンカの形成を最適化することができ、前色のトナー像が次色の露光領域に飛散することをより効果的に抑制する。
【００２９】
また、本発明の電子写真装置によれば、微小露光は、一画素内で複数回のパルス発光により行うことによって、比較的広い領域に渡って微小領域の表面電位を現像に寄与しないレベルで連続的に低下させることができるので、前色のトナー像が次色の露光領域に飛散することをより効果的に抑制する。
【００３０】
また、本発明の電子写真装置によれば、一画素内で複数回のパルス発光により行う場合のパルス発光の発光時間（パルス幅）は、現像手段の印加電圧に応じて可変されることで、前色のトナー像の内部方向に作用するクーロンカの形成を最適化することができ、前色のトナー像が次色の露光領域に飛散することをより効果的に抑制する。
【００３１】
また、本発明の電子写真装置によれば、一画素内で複数回のパルス発光により行う場合のパルス発光の発光時間（パルス幅）は、帯電手段によって感光体に形成される帯電電位に応じて可変されることで、前色のトナー像の内部方向に作用するクーロンカの形成を最適化することができ、前色のトナー像が次色の露光領域に飛散することをより効果的に抑制する。
【００３２】
また、本発明の電子写真装置によれば、一画素内で複数回のパルス発光により行う場合の発光回数は、現像手段の印加電圧に応じて可変されることで、前色のトナー像の内部方向に作用するクーロンカの形成を最適化することができ、前色のトナー像が次色の露光領域に飛散することをより効果的に抑制する。
【００３３】
また、本発明の電子写真装置によれば、一画素内で複数回のパルス発光により行う場合の発光回数は、帯電手段によって感光体に形成される帯電電位に応じて可変されることで、前色のトナー像の内部方向に作用するクーロンカの形成を最適化することができ、前色のトナー像が次色の露光領域に飛散することをより効果的に抑制する。
【発明を実施するための最良の形態】
【００３４】
以下、本発明の実施の形態を図面に基づいて説明する。図１は本発明の電子写真装置の一実施の形態に係る構成を示した模式図、図２乃至図６は本発明の電子写真装置の一実施の形態において感光体の露光と帯電の関係を示した模式図である。
【００３５】
電子写真装置は所謂、粉体現像剤を用いる乾式で、回転可能に支持されたドラム状の感光体１の周囲に、クリーナ８、帯電器２−１、露光器３−１、現像器４−１、帯電器２−２、露光器３−２、現像器４−２、帯電器２−３、露光器３−３、現像器４−３、帯電器２−４、露光器３−４、現像器４−４及び転写装置５が配置されている。この転写装置５は中間転写ローラ（中間転写体）６と、この中間転写ローラ６に用紙９を介して押圧力を与える加圧ローラ７で構成されている。
【００３６】
更に、各帯電器２−１〜２−４、各露光器３−１〜３−４と、各現像器４−１〜４−４は、各々イエロー、マゼンタ、シアン、ブラックの各色に対応して設けられている。
【００３７】
本実施の形態においては、説明の都合上、帯電器２−１、露光器３−１および現像器４−１はイエロー用、帯電器２−２、露光器３−２および現像器４−２はマゼンタ用、帯電器２−３、露光器３−３および現像器４−３はシアン用、帯電器２−４、露光器３−４および現像器４−４はブラック用とし、フルカラー画像形成の色順番は、第１色目がイエロー、第２色目がマゼンタ、第３色目がシアン、第４色目がブラックとする。また、図１において、感光体１の面上に各露光器から照射される露光ビームを、露光ビームＹ、露光ビームＭ、露光ビームＣ、露光ビームＫと示した。
【００３８】
次に、本実施の形態に係る電子写真装置の動作について説明する。感光体１は、導電性基体の上に、有機系あるいはアモルフアスＳｉなどの無機系の感光層を設けたドラム状の回転体である。この感光体１の感光層は周知のコロナ帯電器（コロトロン帯電器あるいはスコロトロン帯電器）２−１によって均一に帯電された後、レーザあるいはＬＥＤなどを光源とする露光器３−１からの露光ビームＹを受け、感光体１の表面にイエロー画像に対応する静電潜像が形成される。
【００３９】
しかる後に、イエローの粉体現像剤を収納する現像器４−１によって静電潜像の可視像化が行われる。多重現像一括転写法において、感光体１の表面と現像器の現像スリーブ（トナー保持部）は非接触で静電潜像を可視像化する、所謂非接触現像によって行われることが、感光体１上のトナー像を乱しにくい観点から好ましい。本実施形態においても、非接触現像を前提で説明を行う。
【００４０】
ここで、本実施の形態においては、イエロー画像の潜像形成に引き続き、マゼンタの帯電器２−２と露光器３−２によりマゼンタの静電潜像を形成し、マゼンタの粉体現像剤を収納する現像器４−２によってこれを現像する。
【００４１】
従って、第２色目の現像後には、感光体１上にはイエローとマゼンタの２色のトナー像が形成されている。
【００４２】
同様にして、第３色目（シアン）、第４色目（ブラック）のトナー像を感光体１上に重畳的に形成することにより、感光体１の面上にフルカラーのトナー像を形成することができる。
【００４３】
その後、感光体１上に形成されたトナー像は転写装置５によって用紙９に一括転写されるが、その際には直接用紙に一括転写しても良いし（直接転写方式）、あるいは図１に例示するように、中間転写ローラ６を介して用紙９に一括転写しても良い（中間転写方式あるいは間接転写方式）。
【００４４】
感光体１から中間転写ローラ６への転写、および中間転写ローラ６から用紙９への転写においては、いずれも電界による転写、あるいは圧力による転写（オフセット転写）のいずれかを用いることができる。
【００４５】
転写装置５によってトナー像を転写された用紙９は、図１には図示しない定着器によって加熱定着される。その後、フルカラーのトナー像の転写を終えた感光体１上の残存トナーはクリーナ８によって除去される。
【００４６】
このような電子写真装置において、多重現像一括転写法によりカラー画像を形成する場合に、前色現像トナー像が次色現像プロセスにおいて飛散することなく（以下、例えば「前色」をイエローとした場合は、「次色」は、マゼンタ）、所望の高画質画像を得るための手法について鋭意検討を行った。
【００４７】
その結果、次色トナー像形成プロセスにおいて、感光体１の周面上を全面帯電した後、図２に示すように選択露光１０１を行った場合、非露光領域２００のうち、露光領域１００に近接した領域に前色トナーが存在し、且つ、非露光領域２００に近接する露光領域１００には前色トナーが存在しない場合に、前色トナー２１が露光領域１００に向かって最も飛散し易いことが明らかになった。
【００４８】
即ち、図２の状態にある前色トナー像の露光領域１００に向かう飛散が抑制できれば、他の如何なる状態の前色トナー像の飛散も必然的に低減できることになる。
【００４９】
図２において、前色トナー２１には、感光体１の周面上の全面帯電による非露光領域２００の表面電位ＶOと選択露光による露光領域１００の表面電位ＶLとの差Ｖにより、破
線の矢印で示すような電気力線が形成され、その結果前色トナー２１に対して図２の右方向へのクーロンカＦが作用する。
【００５０】
これにトナー同士の吸着力（分子間力）や感光体１の摩擦力などが抗して前色トナー像の飛散を抑えようとしているが、非露光領域２００と露光領域１００とが隣接する付近では、非露光領域２００にある前色トナー２１に作用するクーロンカＦが強くなり、前色トナー２１が露光領域１００側に飛散してしまうのである。
【００５１】
したがって、露光領域１００に隣接する付近での前色トナー２１に作用するクーロンカＦを弱めることができれば、前色トナー２１の飛散が抑制できる。
【００５２】
そのため、本願発明は、前色トナー２１に隣接して選択露光１０１を行う場合、図３に示すように、露光領域１００への露光と併せて、前色トナー２１を通して選択露光１０１よりも露光エネルギーが小さい微小露光１０２を感光体１の非露光領域２００に行い、非
露光領域２００に微小露光領域３００を生じさせる。
【００５３】
これにより、微小露光領域３００の表面電位ＶL′と微小露光領域３００以外の非露光領域２００の表面電位Ｖ0間に電位差△Ｖ′が生じるため、露光領域１００に隣接する非
露光領域２００から露光領域１００へ向かう電気力線とは逆方向に、同じ非露光領域２００から前色トナー２１の内部にある感光体１の微小露光領域３００へ向かって破線の矢印で示すような電気力線が形成される。
【００５４】
その結果、前色トナー２１を露光領域１００に飛散させようとするクーロンカＦに抗するようにクーロンカＦ′が作用し、クーロンカＦの影響を小さくすることができるため、前色トナー２１の露光領域１００への飛散を抑えることができる。
【００５５】
ここで、図３に示すように、露光領域１００上に次色トナー像を現像するための現像バイアスをＶBとすると、現像バイアスＶBと露光領域１００の表面電位ＶLとの差による
現像電界によって、露光領域１００は次色トナー（図示せず）が現像されるが、微小露光１０２が強すぎると微小露光領域の表面電位ＶL′が下がりすぎて、露光領域１００と同様に微小露光領域３００にも次色トナーが現像されてしまう。
【００５６】
それを避けるため、微小露光１０２への露光は選択露光１０１への露光よりも露光エネルギーを小さくし、微小露光領域３００の表面電位ＶL′が現像バイアスＶB以下にならないようにする。
【００５７】
（実施例１）
以下に、本発明の実施例１について具体的に説明する。
【００５８】
本発明の実施例１においては、図１に示した電子写真装置において、正帯電トナー（＋極性に帯電）を用い、現像器４−１〜４−４により正帯電感光体１上に反転現像（感光体１上を露光した領域にトナー像を形成）するものとする。露光器３−１〜３−４は光源として半導体レーザを用い、レーザ出力（パワー）を強弱に切換可能な制御手段を備えるものとする。
【００５９】
このような電子写真装置において、図４に示すように、現像器４−１によりイエロー像の現像を行った後、帯電器２−２によって全面帯電を行い、感光体１の表面電位ＶOを６
００Ｖに帯電させる（図４（Ａ））。
【００６０】
この状態で、露光器３−２で選択露光を行い、マゼンタ像の潜像を形成するが、イエロートナー像に隣接してマゼンタトナー像の潜像を形成する部分については、露光領域１００への選択露光１０１はレーザ出力を強レベルにして、露光領域１００の表面電位ＶL＝１００Ｖにする。このとき、前色トナー２１（イエロートナー）の露光領域１００側の端部から露光領域１００に向かって、強いクーロン力Ｆが作用している。
【００６１】
一方、露光領域１００と隣接し、前色トナー２１（イエロートナー）が既に現像されていてマゼンタトナー像を形成しない非露光領域２００に対しては、イエロートナー像内部の感光体１表面にレーザ出力を弱モードにした微小露光１０２を行い、微小露光領域３００を形成する。微小露光領域３００の表面電位ＶL′は３５０Ｖとする（図４の（Ｂ））。
【００６２】
これによって、マゼンタ像の露光領域１００に隣接する前色トナー２１（イエロートナー）の露光領域１００側の端部から微小露光領域３００に向かって、弱いクーロンカＦ′が作用するため、前記クーロン力Ｆが弱まり、イエロートナー２１のマゼンタ像の露光領
域１００への飛散を抑制する。
【００６３】
また、現像器４−２によるマゼンタ現像において、現像ギャップ（感光体１と現像スリーブ間の距離）を１００μｍ、現像バイアスＶB＝３００Ｖとすると、マゼンタ像の露光領域１００での現像電界は（１００−３００）Ｖ／１００μｍ＝−２×１０6Ｖ／ｍとな
るのに対し、近接する微小露光領域３００では（３５０−３００）Ｖ／１００μｍ＝５×１０5Ｖ／ｍとなるので、＋極性に帯電しているマゼンタトナーは露光領域１００にのみ現像され、微小露光領域３００に付着することはない。
【００６４】
露光領域１００への選択露光１０１と微小露光領域３００への微小露光１０２は、同時に行なっても良いし、露光領域１００への選択露光１０１を先に行なってから微小露光領域３００への微小露光１０２を行なっても良いし、微小露光領域３００への微小露光１０２を先に行なってから露光領域１００への選択露光１０１を行なっても良い。
【００６５】
前記クーロンカＦ′と前記クーロン力Ｆの大きさの関係は、（クーロン力Ｆ′）＜（クーロン力Ｆ）である。また、露光領域１００の面積が微小露光領域３００の面積より大きい場合、若しくは充分大きい場合は、（クーロン力Ｆ′）≧（クーロン力Ｆ）であっても、本願発明の所望する効果は期待できる。
【００６６】
以上、第２色目のマゼンタの画像形成時において説明したが、第３色目（シアン）、第４色目（ブラック）の画像形成時においても同様の処理を施すことで、シアン、ブラックの露光領域に対して隣接する他色トナー像の飛散を抑制することができる。
【００６７】
なお、微小露光領域３００は、露光器からの露光ビームによって感光体上にドット状の静電潜像を形成する基本画素サイズ（基本解像度）の一画素を基本に制御しても良いし、画像データ形成処理における基本セル（階調処理の画素マトリクスサイズ、等）を基本に制御しても良いし、特にその領域の大きさを規定するものではない。
【００６８】
（実施例２）
本発明の実施例においては、図１に示した電子写真装置において、負帯電トナー（−極性に帯電）を用い、現像器４−１〜４−４により負帯電感光体１上に反転現像（感光体１上を露光した領域にトナー像が形成）するものとする。露光器３−１〜３−４は光源として半導体レーザを用い、レーザ出力（パワー）は各露光器において所定の値に設定されるものとする。
【００６９】
このような電子写真装置において、現像器４−１によりイエロー像の現像を行った後、帯電器２−２によって全面帯電を行い、感光体１の表面電位ＶOを−６００Ｖに帯電させ
る（図５（Ａ））。この状態で、露光器３−２で選択露光を行い、マゼンタ像の潜像を形成するが、イエロートナー像に隣接してマゼンタトナー像の潜像を形成する部分については、露光領域１００と隣接し、マゼンタトナー像を形成しない非露光領域２００に対して、イエロートナー像内部の微小露光領域３００に微小露光１０２を行う（図５（Ｂ））。
【００７０】
図５（Ｂ）においては、露光器３−２の光源をオン／オフする露光信号を記載している。露光信号がローレベル（以下、Ｌと記述）の時、露光器３−２の光源が点灯し、露光ビームＭによって感光体１を露光する。逆に、露光信号がハイレベル（以下、Ｈと記述）の時、露光器３−２の光源が消灯し、感光体１は露光されない。
【００７１】
微小露光領域３００に対して、露光信号をＴ1の期間Ｌに設定し、感光体１を露光し、微小露光領域３００の表面電位ＶL′＝−４５０Ｖとする。この時間ＴLは、単独では露光後の表面電位を現像に寄与するレベル（図５においては少なくとも−３００Ｖ以下）まで
落とし込むことができない程の短い時間である。露光時間が短すぎると、感光体１を露光するエネルギーが小さく、感光体１の感度特性等と関連し、表面電位を十分に落とすことができない。この微小露光１０２よって、マゼンタ像の露光領域１００に隣接するイエロートナー２１の内部に向かって作用するクーロンカＦ′を形成し、イエロートナー２１のマゼンタ像の露光領域１００への飛散を抑制する。
【００７２】
また、現像器４−２によるマゼンタ現像において、現像ギャップ（感光体１と現像スリーブ間の距離）を１００μｍ、現像バイアスＶB＝−３００Ｖとすると、マゼンタ像の露光領域１００での現像電界は（−１００＋３００）Ｖ／１００μｍ＝２×１０6Ｖ／ｍとなるのに対し、近接する微小露光領域領域３００では（−４５０＋３００）Ｖ／１００μｍ＝−１．５×１０6Ｖ／ｍとなるので、−極性に帯電しているマゼンタトナーは露光領域１００にのみ現像され、微小露光領域３００に付着することはない。
【００７３】
以上、第２色目のマゼンタの画像形成時において説明したが、第３色目（シアン）、第４色目（ブラック）の画像形成時においても同様の処理を施すことで、シアン、ブラックの露光領域に対して隣接する他色トナー像の飛散を抑制することができる。
【００７４】
微小露光１０２の時間ＴLは、これによって形成される表面電位と、現像器の現像スリーブに印加する現像バイアスＶB、帯電器による感光体１の全面帯電後の表面電位ＶO（
帯電電位）との関係で最適化することが必要である。すなわち、ＴLが長すぎて、微小露光領域３００の表面電位ＶL′が現像バイアスＶBよりも低くなると、微小露光領域３００に次色のトナーが付着してしまう。また、ＴLが短すぎて、微小露光領域３００の表面電位ＶL′と帯電電位Ｖ0の差が小さいと、非露光領域２００のトナー内部に向かって作用するクーロンカＦ′が小さくなり、露光領域１００へのトナー飛散の抑制効果が薄れてしまう。
【００７５】
上記の内容を鑑みると、微小露光１０２の時間ＴLは、次色の現像バイアスＶBあるいは帯電電位Ｖ0に応じて最適化できるよう、可変されることが望ましい。また、色毎にトナー像形成における現像バイアスＶB、帯電電位Ｖ0が異なる場合もあるので、色毎に微
小露光１０２の時間ＴLを変えることもある。
【００７６】
（実施例３）
本発明の実施例においては、図１に示した電子写真装置において、負帯電トナー（−極性に帯電）を用い、現像器４−１〜４−４により負帯電感光体１上に反転現像（感光体１上を露光した簡域にトナー像が形成）するものとする。露光器３−１〜３−４は光源として半導体レーザを用い、レーザ出力（パワー）は各露光器において所定の値に設定されるものとする。
【００７７】
このような電子写真装置において、現像器４−１によりイエロー像の現像を行った後、帯電器２−２によって全面帯電を行い、感光体１の表面電位ＶOを−６００Ｖに帯電させ
る（図６（Ａ））。露光領域１００は次色マゼンタのトナー像形成領域で、露光器３−２からの露光ビームＭによって感光体１を露光する部分である。
【００７８】
一方、非露光領域２００は、次色マゼンタのトナー像を形成しない領域であり、そこには前色イエローのイエロートナー２１が付着している。ここでの非露光領域２００は、露光器３−２からの露光ビームＭによって感光体１上にドット状の静電潜像を形成する基本画素サイズ（基本解像度）に対応した一画素分の領域とする。
【００７９】
この状態で、露光器３−２で選択露光１０１を行い、マゼンタ像の潜像を形成するが、露光領域１００と隣接し、マゼンタトナー像を形成しない非露光領域２００に対して、短
時間の露光を複数回に渡って行う（微小露光１０２、図６（Ｂ））。
【００８０】
図６（Ｂ）においては、露光器３−２の光源をオン／オフする露光信号を記載している。
【００８１】
露光信号がＬの時、露光器３−２の光源は点灯し、露光ビームＭによって感光体１を露光する。逆に、露光信号がＨの時、露光器３−２の光源は消灯し、感光体１は露光されない。
【００８２】
非露光領域２００に対して、露光信号をＴ1の期間Ｌに設定し、その後Ｔ2の期間Ｈに設定する操作によって、感光体１をＴLの時間露光し、この動作を以後２回繰り返し、一画素内で３回の短時間露光を感光体１に対して行う。
【００８３】
時間ＴLは、単独では露光後の表面電位を現像に寄与するレベル（図６においては少なくとも−３００Ｖ以下）まで落とし込むことができない程の短い時間である。露光のオン時間ＴL、露光のオフ時間Ｔ2、および繰り返し回数を適切に設定することで、一画素内の微小露光領域３００の表面電位ＶL′を図６（Ｂ）に示すような中間電位（帯電電位Ｖ
Oと現像バイアスＶBの中間）に制御することができ、比較的広い領域に渡って表面電位を現像に寄与しないレベルで連続的に低下させることができる。
【００８４】
本実施例３においては、上記のような微小露光領域３００に対する露光制御を行うことで、微小露光領域３００の表面電位ＶL′＝−３５０Ｖ（ピーク値）に制御する。この微小露光１０２よって、マゼンタ像の露光領域１００に隣接するイエロートナー２１の内部に向かって作用するクーロンカＦ′を形成し、イエロートナー２１のマゼンタ像の露光領域１００への飛散を抑制する。
【００８５】
また、現像器４−２によるマゼンタ現像において、現像ギャップ（感光体１と現像スリーブ間の距離）を１００μｍ、現像バイアスＶB＝−３００Ｖとすると、マゼンタ像の露光領域１００での現像電界は（−１００＋３００）Ｖ／１００μｍ＝２×１０6Ｖ／ｍと
なるのに対し、近接する微小露光領域３００では（−３５０＋３００）Ｖ／１００μｍ＝−５×１０5Ｖ／ｍとなるので、−極性に帯電しているマゼンタトナーは露光領域１００にのみ現像され、微小露光領域３００に付着することはない。
【００８６】
以上、第２色目のマゼンタの画像形成時において説明したが、第３色目（シアン）、第４色目（ブラック）の画像形成時においても同様の処理を施すことで、シアン、ブラックの露光領域に対して隣接する他色トナー像の飛散を抑制することができる。
【００８７】
微小露光１０２の時間ＴL、Ｔ2および一画素内での露光回数（露光器の光源の発光回数）は、露光後の表面電位ＶL′と、現像器の現像スリーブに印加する現像バイアスＶB、帯電器による感光体１の全面帯電後の表面電位Ｖ0（帯電電位）との関係で最適化することが必要である。
【００８８】
すなわち、ＴLが長すぎて、微小露光領域３００の表面電位ＶL′が現像バイアスＶBよりも低くなると、微小露光領域３００に次色のトナーが付着してしまう。さらに、ＴLが短くてもＴ2が長すぎると、表面電位を現像に寄与しないレベルで連続的に低下させることができず、微小露光領域３００の表面電位ＶL′の凹凸が大きくなり、露光領域１００へのトナー飛散を抑制するための非露光領域２００内部に向かって作用するクーロンカＦ′を十分に形成することができず、トナー飛散の抑制効果が小さくなる。
【００８９】
またこのような場合には、一画素内での露光回数（露光器の光振の発光回数）が少なく
なってしまう。
【００９０】
上記の内容を鑑みると、微小露光１０２の時間ＴLあるいは一画素内での露光回数（露光器の光源の発光回数）は、次色の現像バイアスＶBあるいは帯電電位Ｖ0によって最適化できるよう、可変されることが望ましい。
【００９１】
また、色毎にトナー像形成における現像バイアスＶB、帯電電位Ｖ0が異なる場合もあるので、色毎に微小露光１０２の時間ＴL、あるいは一画素内での露光回数（露光器の光源の発光回数）を変えることもある。
【００９２】
なお、本実施例３においては、一画素を露光器からの露光ビームによって感光体上にドット状の静電潜像を形成する基本画素サイズ（基本解像度）としたが、例えば画像データ形成処理における基本セル（階調処理の画素マトリクスサイズ等）を一画素と考えても良いし、特に一画素の大きさを規定するものではない。
【００９３】
以上、本実施の形態によれば、２色目および２色目以降のトナー像形成プロセスにおいて、全面帯電した後の選択露光プロセスで、感光体上に既に形成されているトナー像に働く横方向の電界によるクーロンカ（選択露光領域に飛散させる力）に抗するクーロンカを発生させることで、感光体上のトナーが飛散しないようにしたため、多重現像一括転写法によって、高画質なカラー画像を高速に得ることができる。
【００９４】
本発明の実施の形態では、感光体１の例としてドラム状回転体としての感光体ドラムを挙げたが、その他に感光体ベルト等であってもよく、同等の作用効果が期待できる。
【００９５】
また、現像方式は非接触現像方式について説明したが、トナー像を乱しにくい観点から、非接触方式の方がより好ましいと云うに過ぎず、接触方式を採用しても同等の作用効果を期待することは可能である。
【産業上の利用可能性】
【００９６】
本発明によれば、２色目および２色目以降のトナー像形成プロセスにおいて、全面帯電した後の選択露光プロセスで、感光体上に既に形成されているトナー像に働く横方向の電界によるクーロンカ（選択露光領域に飛散させる力）に抗するクーロンカを発生させることで、感光体上のトナーが飛散しないようにしたため、高画質なカラー画像を高速に得ることが可能になるという有効な効果が得られ、特に多重現像一括転写法を用いた電子写真装置の分野に好適である。
【図面の簡単な説明】
【００９７】
【図１】本発明の電子写真装置の一実施の形態に係る構成を示した模式図
【図２】本発明の電子写真装置の一実施の形態において感光体の露光と帯電の関係を示した模式図
【図３】本発明の電子写真装置の一実施の形態において感光体の露光と帯電の関係を示した模式図
【図４】本発明の電子写真装置の一実施の形態において感光体の露光と帯電の関係を示した模式図
【図５】本発明の電子写真装置の一実施の形態において感光体の露光と帯電の関係を示した模式図
【図６】本発明の電子写真装置の一実施の形態において感光体の露光と帯電の関係を示した模式図
【符号の説明】
【００９８】
１    感光体
２−１〜２−４    帯電器
３−１〜３−４    露光器
４−１〜４−４    現像器
５    転写装置
６    中間転写ローラ
７    加圧ローラ
８    クリーナ
９    用紙
【図１】
2005257845.tif 000003
【図２】
2005257845.tif 000004
【図３】
2005257845.tif 000005
【図４】
2005257845.tif 000006
【図５】
2005257845.tif 000007
【図６】
2005257845.tif 000008